【手続補正書】
【提出日】平成26年12月2日(2014.12.2)
【手続補正１】
【補正対象書類名】特許請求の範囲
【補正対象項目名】全文
【補正方法】変更
【補正の内容】
【特許請求の範囲】
【請求項１】
遊技者が操作可能な操作手段と、
前記操作手段の操作に基づいて複数の演出態様を段階的に変化させながら表示することが可能な表示手段と、
前記複数の演出態様の一つであるｎ段階の態様からそれ以降の一または複数のｎ＋α段階の態様に変化させるか否かの抽選を行い、その抽選結果に基づき前記表示手段を制御する演出制御手段と、
前記操作手段の操作回数を計数する計数手段と、を備え、
前記演出制御手段は、前記表示手段に前記ｎ段階の態様が表示されてからの前記操作手段の操作回数が非抽選操作回数Ｍｎ未満であるときには、前記操作手段が操作されても前記演出態様をｎ段階の態様からｎ＋α段階の態様に変化させるか否かの抽選の処理を行わない一方、
前記操作手段の操作回数が前記非抽選操作回数Ｍｎ以上となっているときには、前記操作手段が操作されたことを契機として前記演出態様をｎ段階の態様からｎ＋α段階の態様に変化させるか否かの抽選の処理を当選確率Ｐｎで行い、この抽選に当選した場合に前記表示手段に表示される演出態様をｎ段階の態様からｎ＋α段階の態様に変化させるように構成され、
前記演出態様をｎ段階の態様からｎ＋α階の態様に変化させる際に前記非抽選操作回数Ｍｎが１以上に設定される場合には、前記演出態様をｎ−１段階の態様からｎ段階の態様に変化させる際に前記非抽選操作回数Ｍｎが０に設定されることを特徴とする遊技機。
【請求項２】
遊技者が操作可能な操作手段と、
前記操作手段の操作に基づいて複数の演出態様を段階的に変化させながら表示することが可能な表示手段と、
前記複数の演出態様の一つであるｎ段階の態様からそれ以降の一または複数のｎ＋α段階の態様に変化させるか否かの抽選を行い、その抽選結果に基づき前記表示手段を制御する演出制御手段と、
前記操作手段の操作に基づき減算処理を実行する減算手段と、を備え、
前記演出制御手段は、前記表示手段に前記ｎ段階の態様が表示されてから前記操作手段が操作される度に減算される非抽選操作回数Ｍｎが０となっていないときには、前記操作手段が操作されても前記演出態様をｎ段階の態様からｎ＋α段階の態様に変化させるか否かの抽選の処理を行わない一方、
前記非抽選操作回数Ｍｎが０となっているときには、前記操作手段が操作されたことを契機として前記演出態様をｎ段階の態様からｎ＋α段階の態様に変化させるか否かの抽選の処理を当選確率Ｐｎで行い、この抽選に当選した場合に前記表示手段に表示される演出態様をｎ段階の態様からｎ＋α段階の態様に変化させるように構成され、
前記演出態様をｎ段階の態様からｎ＋α段階の態様に変化させる際に前記非抽選操作回数Ｍｎが１以上に設定される場合には、前記演出態様をｎ−１段階の態様からｎ段階の態様に変化させる際に前記非抽選操作回数Ｍｎが０に設定されることを特徴とする遊技機。
【請求項３】
前記複数の演出態様のうちの前記ｎ段階の態様とは異なるｘ段階の態様が前記表示手段に表示されている場合に、前記操作手段が操作されても前記演出制御手段による抽選を行わない非抽選操作回数がＭｘに設定され、
前記ｘ段階における前記非抽選操作回数Ｍｘは、前記ｎ段階における前記非抽選操作回数Ｍｎと異なるように設定されていることを特徴とする請求項１または請求項２に記載の遊技機。
【請求項４】
前記複数の演出態様のうちの前記ｎ段階の態様とは異なるｘ段階の態様が前記表示手段に表示されている場合に、前記演出制御手段により前記演出態様をｘ段階の態様からｘ＋α段階の態様に変化させるか否かの抽選に当選する確率がＰｘに設定され、
この当選確率Ｐｘは、前記当選確率Ｐｎと異なるように設定されていることを特徴とする請求項１から請求項３のいずれか一項に記載の遊技機。
【手続補正２】
【補正対象書類名】明細書
【補正対象項目名】０００６
【補正方法】変更
【補正の内容】
【０００６】
上記課題を解決するためになされた請求項１に記載の発明は、遊技者が操作可能な操作手段と、前記操作手段の操作に基づいて複数の演出態様を段階的に変化させながら表示することが可能な表示手段と、前記複数の演出態様の一つであるｎ段階の態様からそれ以降の一または複数のｎ＋α段階の態様に変化させるか否かの抽選を行い、その抽選結果に基づき前記表示手段を制御する演出制御手段と、前記操作手段の操作回数を計数する計数手段と、を備え、前記演出制御手段は、前記表示手段に前記ｎ段階の態様が表示されてからの前記操作手段の操作回数が非抽選操作回数Ｍｎ未満であるときには、前記操作手段が操作されても前記演出態様をｎ段階の態様からｎ＋α段階の態様に変化させるか否かの抽選の処理を行わない一方、前記操作手段の操作回数が前記非抽選操作回数Ｍｎ以上となっているときには、前記操作手段が操作されたことを契機として前記演出態様をｎ段階の態様からｎ＋α段階の態様に変化させるか否かの抽選の処理を当選確率Ｐｎで行い、この抽選に当選した場合に前記表示手段に表示される演出態様をｎ段階の態様からｎ＋α段階の態様に変化させるように構成され、前記演出態様をｎ段階の態様からｎ＋α階の態様に変化させる際に前記非抽選操作回数Ｍｎが１以上に設定される場合には、前記演出態様をｎ−１段階の態様からｎ段階の態様に変化させる際に前記非抽選操作回数Ｍｎが０に設定されることを特徴とする。
【手続補正３】
【補正対象書類名】明細書
【補正対象項目名】０００７
【補正方法】変更
【補正の内容】
【０００７】
また、上記課題を解決するためになされた請求項２に記載の発明は、遊技者が操作可能な操作手段と、前記操作手段の操作に基づいて複数の演出態様を段階的に変化させながら表示することが可能な表示手段と、前記複数の演出態様の一つであるｎ段階の態様からそれ以降の一または複数のｎ＋α段階の態様に変化させるか否かの抽選を行い、その抽選結果に基づき前記表示手段を制御する演出制御手段と、前記操作手段の操作に基づき減算処理を実行する減算手段と、を備え、前記演出制御手段は、前記表示手段に前記ｎ段階の態様が表示されてから前記操作手段が操作される度に減算される非抽選操作回数Ｍｎが０となっていないときには、前記操作手段が操作されても前記演出態様をｎ段階の態様からｎ＋α段階の態様に変化させるか否かの抽選の処理を行わない一方、前記非抽選操作回数Ｍｎが０となっているときには、前記操作手段が操作されたことを契機として前記演出態様をｎ段階の態様からｎ＋α段階の態様に変化させるか否かの抽選の処理を当選確率Ｐｎで行い、この抽選に当選した場合に前記表示手段に表示される演出態様をｎ段階の態様からｎ＋α段階の態様に変化させるように構成され、前記演出態様をｎ段階の態様からｎ＋α段階の態様に変化させる際に前記非抽選操作回数Ｍｎが１以上に設定される場合には、前記演出態様をｎ−１段階の態様からｎ段階の態様に変化させる際に前記非抽選操作回数Ｍｎが０に設定されることを特徴とする。
【手続補正４】
【補正対象書類名】明細書
【補正対象項目名】０００８
【補正方法】変更
【補正の内容】
【０００８】
また、請求項３に記載の発明は、請求項１または請求項２に記載の遊技機において、前記複数の演出態様のうちの前記ｎ段階の態様とは異なるｘ段階の態様が前記表示手段に表示されている場合に、前記操作手段が操作されても前記演出制御手段による抽選を行わない非抽選操作回数がＭｘに設定され、前記ｘ段階における前記非抽選操作回数Ｍｘは、前記ｎ段階における前記非抽選操作回数Ｍｎと異なるように設定されているところに特徴を有する。